(57)【要約】【課題】  本考案は、容易に処置済みガーゼをカウントするとともに、その処置済みガーゼに付着している血液量を計量できる計量器を提供する。【解決手段】  本考案の計量器５０は複数の計量物を載置するための載置部５と、前記載置部５を支持し前記計量物を計量するための計量部１０と、前記計量物に応じて計量値を表示するための表示部２０と、を具備し、前記載置部５は、複数の収容部を備えている。【選択図】  図１
0003103781.tif 000002
【実用新案登録請求の範囲】
【請求項１】
複数の計量物を載置するための載置部と、
前記載置部を支持し前記計量物を計量するための計量部と
前記計量物に応じて計量値を表示するための表示部と、を具備し、
前記載置部は、複数の収容部を備えていることを特徴とする計量器。
【請求項２】
前記計量物は処置済みガーゼであることを特徴とする請求項１に記載の計量器。
【請求項３】
前記収容部は、底板と、略半円筒体と、を備え、
前記半円筒体は、前記底板上に並べて備えられていることを特徴とする請求項１に記載の計量器。
【請求項４】
前記表示部の指針位置を補正するための補正手段を備えていることを特徴とする請求項１に記載の計量器。
【請求項５】
前記載置部はアクリル系樹脂で形成されていることを特徴とする請求項１に記載の計量器。
【考案の詳細な説明】
【技術分野】
【０００１】
本考案は、計量器に関し、特に一目で計量物の数をカウントできるとともに、計量物を計量できる計量器に関する。
【背景技術】
【０００２】
従来、手術等における処置済みガーゼは、紙上に処置済みガーゼの枚数をカウントするための仕切線を描き、仕切線により仕切られた位置に処置済みガーゼを載置して処置済みガーゼの枚数をカウントし、その後、処置済みガーゼを秤等にのせて処置済みガーゼの総重量を計量していた。
【考案の開示】
【考案が解決しようとする課題】
【０００３】
しかし、従来の手法では、仕切線が描かれた紙を床の上に置くため、床にその紙を置くためのスペースを設ける必要があった。
【０００４】
また、処置済みガーゼの枚数を数える際に数え間違いが生じることがあった。
【０００５】
また、処置済みガーゼの枚数をカウントする作業と処置済みガーゼの重量を計る作業とを別個に行う必要があり、間接介助者に負担が生じていた。
【０００６】
本考案が解決しようとする課題には、上記した問題が一例として挙げられる。
【０００７】
本考案は、上記の各問題点に鑑みて為されたもので、その課題は、容易に処置済みガーゼをカウントするとともに、その処置済みガーゼに付着している血液量を計量できる計量器を提供することにある。
【課題を解決するための手段】
【０００８】
以下、本考案について説明する。なお、本考案の理解を容易にするために添付図面の参照符号を括弧書きにて付記するが、それにより本考案が図示の形態に限定されるものではない。
【０００９】
本考案の計量器（５０）は、複数の計量物を載置するための載置部（５）と、前記載置部を支持し前記計量物を計量するための計量部（１０）と、前記計量物に応じて計量値を表示するための表示部（２０）と、を具備し、前記載置部は、複数の収容部を備えていることを特徴とする。また、前記計量物は処置済みガーゼ（２）である。また、前記載置部は、底板（６）と、半円筒体（７）と、を備え、前記半円筒体は、前記底板上に並べて備えられていることを特徴とする。また、前記表示部に表示される数値を補正するための補正手段を備えていることを特徴とする。また、載置部はアクリル系樹脂で形成されていることを特徴とする。
【考案の効果】
【００１０】
本願の計量器は、処置済みガーゼを個々に載置しつつ、処置済みガーゼに付着している血液量を計量できるので、容易に処置済みガーゼの枚数をカウントできるとともに、処置済みガーゼに付着している血液量を計量できる。また、処置済みガーゼを載置する載置部をプラスチック製にすることにより、消毒、洗浄が容易にできる。また、計量器をシンプル且つコンパクトに形成できるため、手術時に邪魔にならず、保管にもスペースを必要としない。
【考案を実施するための最良の形態】
【００１１】
以下、本願の計量器について詳述する。図１は計量器の外観図、図２は指針の補正状態を示す図、図３は計量器に処置済みガーゼを載置した図である。
【００１２】
図１に示すように、計量器５０は、計量物を載置するための載置部５と、載置部５を支持し、載置部５に載置された計量物２を計量するための計量部１０と、計量物に応じて計量値を表示するための表示部２０と、を備える。計量物とは、例えば、本実施形態においては、手術等において使用されたガーゼ（以下、「処置済みガーゼ２」と称する。）である。
【００１３】
載置部５は、底板６と、複数の半円筒体７、７、…、７と、から形成される。また、底板６や半円筒体７は、プラスチック製（特に、アクリル系樹脂）で形成されていることが好ましい。底板６は、矩形状であって、水平方向に延びて形成されている。半円筒体７は、この底板６上に並べて設けられる。また、半円筒体７は、複数の処置済みガーゼ２を個々に収容（載置）するための収容部として機能する。また、筒状体７の数は、切りの良い数（カウントし易い数）であることが好ましい。例えば、５や１０である。
【００１４】
計量部１０は、載置部５を支持するための矩形状の支持体１１と、支持体１１を支持する支持棒１２と、支持棒１２にかかる荷重に応じて駆動するはかり機構部（図示なし）と、を備えている。支持棒１２の一部と、はかり機構部は秤本体１５の内部に設けられる。また、支持棒１２は秤本体１５の上部に突出して設けられる。
【００１５】
表示部２０は、秤本体１５の正面に所定の角度を有して設けられる。また、表示部２０は円形状に形成されている。また、表示部２０は、計量物の計量値を表示するための目盛２１ａを有する目盛板２１と、支持棒１２に作用する荷重に応じて目盛２１ａを指示するための指針２２と、を備えている。指針２２の一端は、はかり機構部と接続される。また、指針２２は、表示部２０の中心から外周方向に目盛板２１と対向して設けられる。また、指針２２の他端は、はかり機構部によって支持棒１２に作用する荷重に応じて目盛板２１に沿って右回りに回転し、所定の目盛２１ａを指示する。
【００１６】
目盛２１ａは、所定の数値（例えば、０ｇ〜１ｋｇ）により表される。目盛２１ａは、表示部２０の外周に沿って記載されている。また、目盛２１ａは、表示部２０の上部を０として右回りに増加するように記載されている。
【００１７】
また、図示しないが、秤本体１５の後部には、後述する表示器２０の指針２２が指示する指示位置（指針位置）を補正するためのつまみが設けられる。
【００１８】
また、表示部２０はデジタル式であってもよい。この場合は、計量部１０の支持棒１２にかかる荷重に応じて計量値をデジタルで表示する。また、表示部２０がデジタル式の場合は、表示部２０に表示される数値を補正するための補正部を備える。これにより、予め計量部上に支持する載置部の重量と使用前のガーゼの重量とを予め補正できるため、手術等により使用した処置済みガーゼに付着した血液量のみを計量できる。
【００１９】
次に、本考案の計量器の使用方法について図２、図３を用いて説明する。なお、分かり易いように図１に対応する箇所に符号を付することにするが、これにより本実施形態に限定されるものではない。
【００２０】
まず、本考案の計量器５０が１ｋｇまで計量できる場合（目盛が０〜１ｋｇまで設けられている場合）であって、載置部５に設けられている筒状体７が１０個備えられており、載置部５の重量が５００ｇであって、ガーゼの１枚の重量が３ｇである場合であって、ガーゼ１０枚を計量する場合について説明する。
【００２１】
まず、図２に示すように、つまみによって、載置部５の重量、及びガーゼ１０枚分の重量分だけ表示器２０の指針２２が指示する指示位置をマイナス補正する。具体的には、載置部５の重量（５００ｇ）とガーゼ１０枚分の重量（３０ｇ）の合計５３０ｇ分（表示部２０の目盛２１ａは４７０ｇ）だけつまみを左回りに回転させる。
【００２２】
次に、載置部５を支持体１１上に載置する。
【００２３】
次に、図３に示すように、処置済みガーゼ２を載置部５に載置し、指針２２により指示された目盛２１の数値を読む。
【００２４】
これにより、処置済みガーゼの枚数と処置済みガーゼに付着している血液量（出血量）を容易に把握することができる。
【００２５】
また、例えば、載置部５に載置する処置済みガーゼ２が１０枚に満たない場合には、指針２２に指示された目盛２１ａの数値から、１０枚に満たない分のガーゼの枚数分の重量を引けば良い。例えば、指針２２が指示した値が５００ｇであって、７枚分の処置済みガーゼ２を載置部５に載置した場合は、５００ｇから３枚分のガーゼの重量（３ｇ×３＝９ｇ）を引いた値（５００ｇ−９ｇ＝４９１ｇ）が出血量である。
【００２６】
以上に説明したように、計量器５０は、複数の処置済みガーゼ２、２、…、２を載置するための載置部５と、載置部５を支持し処置済みガーゼ２を計量するための計量部１０と、処置済みガーゼ２に応じて計量値を表示するための表示部２０と、を具備し、載置部５は、複数の処置済みガーゼ２を個々に収容するための収容部を備えている。また、載置部５は、底板６と、半円筒体７と、を備え、半円筒体７は、底板６上に並べて備えられている。また、表示部２０に表示される数値を補正するためのつまみを備えている。また、載置部５はプラスチック製である。
【００２７】
このように、計量器５０は、処置済みガーゼを個々に載置しつつ、処置済みガーゼに付着している血液量を計量できるので、容易に処置済みガーゼの枚数をカウントできるとともに、処置済みガーゼに付着している血液量を計量できる。また、処置済みガーゼ２を載置する載置部５をアクリル系樹脂で形成することにより、壊れにくく、且つ消毒、洗浄が容易にできる。また、計量器５０をシンプル且つコンパクトに形成できるため、手術時に邪魔にならず、保管にもスペースを必要としない。
【００２８】
なお、本実施形態は一形態であって、この形態に限定されるものではない。例えば、本実施形態においては、載置部５は計量部１０の上部に乗せているだけであるが、計量部の支持体１１を載置部５の底板６して一体に形成されてもよい。また、載置部５は、底板６の下部に計量部１０の支持体１１と嵌合するための嵌合部を備え、計量部１０から取り外し可能に設けられていてもよい。このようにすれば、保管の際に、保管場所のスペースを有効に活用して別個に収納できる。また、本実施形態の載置部５は底板６上に半円筒体７を並べて設けているが、底体６上に所定の間隔をおいて底板６と直交する方向に複数の仕切を備えるようにして、複数の処置済みガーゼを仕切により仕切られる空間に載置するようにしてもよい。
【図面の簡単な説明】
【００２９】
【図１】本考案の計量器の外観図である。
【図２】指針の補正状態を示す図である。
【図３】本考案の計量器に処置済みガーゼを載置した図である。
【符号の説明】
【００３０】
２  処置済みガーゼ
５  載置部
６  底板
７  半円筒体
１０  計量部
２０  表示部
５０  計量器
【図１】
0003103781.tif 000003
【図２】
0003103781.tif 000004
【図３】
0003103781.tif 000005